(57)【要約】【課題】電気式掃除機本体の吸引ホースの先端部に、フィルタを装着したフィルタ装置を着脱自在に取付けることにより、電気式掃除機本体を汚すことなく、一般ごみの外、特に危険物を含むごみを素早く吸引して、フィルタ装置内に装置されたフィルタに捕集し、捕集後は前記フィルタ装置全体を取外して、全体を焼却、または廃棄処分とすることもできるし、またフィルタのみを取替えて使用することもできるようにする。【解決手段】電気式掃除機本体１に連結された吸引ホース２の先端部に、フィルタ３を装着したフィルタ装置Ａを着脱自在に取付ける。【選択図】図１
2010094263.tif 000002
【特許請求の範囲】
【請求項１】
電気式掃除機本体、またはセントラルバキュームシステムに連結された吸引ホースの先端部に、フィルタを備えて形成されたフィルタ装置を着脱自在に取付けたことを特徴とする電気式掃除機、またはセントラルバキュームシステム。
【請求項２】
請求項１記載の電気式掃除機、またはセントラルバキュームシステムにおいて、ごみを吸引して捕集したフィルタを含むフィルタ装置全体を、電気式掃除機本体、またはセントラルバキュームシステムに連結された吸引ホースから取外し、焼却、または廃棄処分するようにしたことを特徴とする電気式掃除機、またはセントラルバキュームシステム。
【請求項３】
請求項１記載の電気式掃除機、またはセントラルバキュームシステムにおいて、ごみを吸引して捕集したフィルタ装置のフィルタを取外し、焼却、または廃棄処分するようにしたことを特徴とする電気式掃除機、またはセントラルバキュームシステム。
【請求項４】
電気式掃除機本体、またはセントラルバキュームシステムに連結された吸引ホースの吸引部より下流側の吸引用ホースの適位置に、フィルタを備えて形成されたフィルタ装置を着脱自在に取付けたことを特徴とする電気式掃除機、またはセントラルバキュームシステム。
【請求項５】
請求項４記載の電気式掃除機、またはセントラルバキュームシステムにおいて、ごみを吸引して捕集したフィルタを含むフィルタ装置全体を、電気式掃除機本体、またはセントラルバキュームシステム本体に連結された吸引ホースから取外し、焼却、または廃棄処分するようにしたことを特徴とする電気式掃除機、またはセントラルバキュームシステム。
【請求項６】
請求項４記載の電気式掃除機、またはセントラルバキュームシステムにおいて、ごみを吸引して捕集したフィルタ装置のフィルタを取外し、焼却、または廃棄処分するようにしたことを特徴とする電気式掃除機、またはセントラルバキュームシステム。
【発明の詳細な説明】
【技術分野】
【０００１】
本発明は、一般家庭用のごみの外、例えばアスベストの解体現場において、人体が吸引すると危険なアスベストファイバー等の粉塵、薬品の製造現場において誤って飛散させた吸引すると生体に危険なホルモン系薬剤、または高活性薬剤等の飛散薬品等の危険物を含むごみを、電気式掃除機、またはセントラルバキュームシステムの吸引ホースの先端、または該吸引ホースの適位置に、ＵＬＰＡフィルタ、ＨＥＰＡフィルタ、あるいはその他のフィルタを備えて形成されたフィルタ装置を着脱自在に取付けて、前記ごみを電気式掃除機本体、またはセントラルバキュームシステムを汚すことなく素早く吸引して捕集し、前記捕集後は前記フィルタ装置全体を取外して、全体を焼却、または廃棄処分することもできるし、また該フィルタ装置のフィルタのみを取替えて使用することもできる電気式掃除機、またはセントラルバキュームシステムに関するものである。
【背景技術】
【０００２】
従来、フィルタ等の集塵手段を備えた電気式掃除機、あるいはセントラルバキュームシステムは公知である。そして、これら電気式掃除機、あるいはセントラルバキュームシステムを使用して、一般家庭用のごみの外、前記アスベストファイバー等の危険な粉塵、飛散した飛散薬品等の危険物を含むごみを吸引して、前記フィルタ等の集塵手段に捕集することはできるが、前記ごみを捕集したフィルタ等の集塵手段を廃棄するには、電気式掃除機本体、またはセントラルバキュームシステムから前記危険物を捕集したフィルタ等の集塵手段を取出して廃棄していた。
【０００３】
一方、前記電気式掃除機本体、またはセントバキュームシステムに連結する吸引ホースの先端部、または該吸引ホースの適位置に、ＵＬＰＡフィルタ、ＨＥＰＡフィルタ、またはその他のフィルタを備えて形成されたフィルタ装置を装着できるようにした先行技術につき、過去の特許文献を遡及検索しても、１件の先行技術文献をも発見することができなかった。
【発明の開示】
【発明が解決しようとする課題】
【０００４】
前記従来のように、特に危険な粉塵や粉状薬品等の危険物を含むごみを、電気式掃除機あるいはセントラルバキュームシステムで吸引して、該吸引された危険物が捕集されたフィルタ等の集塵手段を、前記電気式掃除機本体、またはセントラルバキュームシステムから取出して廃棄しても、前記取出されたフィルタ等の集塵手段の収納部には、前記危険物の一部が付着し、危険であると共に、汚いという課題があった。
【０００５】
本発明は、前記課題を解決すべくなされたものであって、電気式掃除機本体、またはセントラルバキュームシステムに連結された吸引ホースのノズル口部分、または該吸引ホースの適位置に、ＵＬＰＡフィルタ、ＨＥＰＡフィルタ、あるいはその他のフィルタのうち、吸引対象物および捕集効率に対応して選択された、いずれかのフィルタを備えて形成されたフィルタ装置を着脱自在に取付けることにより、前記ごみを、前記電気式掃除機本体、あるいはセントラルバキュームシステムの吸引ファンにより吸引して、該フィルタ装置を構成するフィルタに捕集し、その後、前記フィルタ装置全体を吸引ホースから取外して、これをそのまま、あるいはこれをポリエチレン等より成る袋内に収納して、焼却、または廃棄処分するか、または前記フィルタ装置から危険物を捕集したフィルタのみを取出して、これをそのまま、あるいはこれをポリエチレン等より成る袋内に収納して、焼却、または廃棄処分することにより、電気式掃除機本体、またはセントラルバキューシステムの内部を汚したりすることなく、特に、危険物を含むごみを、前記フィルタ装置を構成するフィルタに捕集して処分することができる電気式掃除機、またはセントラルバキュームシステムを提供しようとするものである。
【課題を解決するための手段】
【０００６】
本発明は、電気式掃除機本体、またはセントラルバキュームシステムに連結された吸引ホースの先端部に、フィルタを備えて形成されたフィルタ装置を着脱自在に取付けるという手段、または、
電気式掃除機本体、またはセントラルバキュームシステムに連結された吸引ホースの吸引部より下流側の吸引用ホースの適位置に、フィルタを備えて形成されたフィルタ装置を着脱自在に取付けるという手段、
のいずれかを採用することにより、上記課題を解決した。
【発明の効果】
【０００７】
本発明電気式掃除機、またはセントラルバキュームシステムによれば、一般ごみの外、特に危険な粉塵や飛散薬品等の危険物を、前記電気式掃除機本体、またはセントラルバキュームシステムの吸引ファンにより、フィルタ装置のフィルタに捕集し、その後、前記フィルタ装置全体を吸引ホースから取外して、そのまま、あるいはこれをポリエチレン等より成る袋内に収納して、焼却、または廃棄処分することができるので、特に危険物を含むごみが更に飛散することがなく、また、前記フィルタ装置から危険物を捕集したフィルタのみを、そのまま、あるいはこれをポリエチレン等より成る袋内に収納して、焼却、または廃棄処分することもできるので、電気式掃除機本体、あるいはセントラルバキュームシステムを汚したりすることなく、特に危険物を含むごみを捕集して処理することができるという優れた効果を奏することができる。
【実施例】
【０００８】
本発明の実施例について、図面に基づいて詳細に説明する。本発明は、電気式掃除機本体、またはセントラルバキュームシステムに連結された吸引ホースの先端部、または、該吸引ホースの適位置にフィルタを備えて形成されたフィルタ装置を取付けた電気式掃除機、またはセントラルバキュームシステムである。
【０００９】
本発明を構成するフィルタ装置Ａは、電気式掃除機本体１（図１）、またはセントラルバキュームシステム１ａ（図２）に連結された吸引ホース２の先端部に、濾紙より成るフィルタ３をケース４の内部に装着して形成されている。なお、前記フィルタ３は、捕集する一般のごみの外、危険物の種類、粒径等、捕集対象物および捕集効率に対応して、ＵＬＰＡフィルタ、ＨＥＰＡフィルタ、あるいはその他のフィルタのいずれかを濾紙として選択採用して形成するが、本発明においては、説明の便宜上、前記ＵＬＰＡフィルタ、ＨＥＰＡフィルタ、あるいはその他のフィルタのいずれかを濾紙として使用して形成されたフィルタを、一括して「フィルタ３」と称して説明する。
【００１０】
そして、前記フィルタ装置Ａを構成するフィルタ３は、濾紙を袋状にした従来公知のフィルタパック状に形成してもよいが、好ましくは、図４に示すように、濾紙を蛇腹状に多数折畳んで濾過面５を多数設けて円筒状としたフィルタ３を、ケース４の内部に装着してフィルタ装着Ａとすることが推奨される。
【００１１】
すなわち、前記好ましいフィルタ装置Ａは、フィルタ３を、該フィルタ３より大径に形成されたケース４内に装着して、該フィルタ３の外側に通気空間６を形成すると共に、該ケース４の先方部には先端に吸引ブラシ等の吸引部７を着脱自在に装着固定することができる吸引パイプ８の基端部が連結固定され、更に、前記ケース４の基端部には、前記吸引ホース２の先端部と密に連結する、例えばテーパー状の連結部９を備えた連結パイプ１０が、前記通気空間６にその先方部を開口して連結固定して形成されている。なお、前記吸引部７は吸引パイプ８に着脱自在ではなく、一体に連結固定してもよい。また、図中、３ａは、フィルタ３の下流側端部に設けられた封止面であり、該封止面３ａから空気が抜けないよう構成されている。
【００１２】
前記のように構成されたフィルタ装置Ａの作用について説明する。電気式掃除機本体１、またはセントラルバキュームシステム１ａの吸引ホース２の先端部に、本来的に装着されている吸引ノズル等の吸引部７を一旦取外した後、前記吸引ホース２の先端部に、連結パイプ１０を介して前記フィルタ装置Ａを密に連結固定すると共に、前記吸引パイプ８の先端に前記一旦取外した吸引部７を連結固定することにより使用可能となる。なお、前記吸引部７が吸引パイプ８に一体に連結固定されている場合は、前記フィルタ装置Ａを、連結パイプ１０を介して、吸引ホース２の先端部に連結固定して使用する。
【００１３】
そして、例えば、危険物であるアスベスト粉塵を吸引する場合、吸引部７を床面に落下したアスベスト粉塵上に位置せしめて、電気式掃除機１本体、またはセントラルバキュームシステム１ａの起動スイッチをＯＮすることにより、該電気式掃除機本体１、またはセントラルバキュームシステム１ａ内の吸引ファンが回転し、図中、矢印で示すように、前記吸引ファンの吸引力により、前記吸引部７から前記粉塵が吸引パイプ８から吸引対象物および捕集効率に対応して、それぞれ選択採用されたフィルタ３に補集され、且つ該選択されたフィルタ３の種類に応じて、例えば選択採用されたフィルタ３が、ＨＥＰＡフィルタにより構成されている場合、０．３μｍ程度の超微粒子状の粉塵をも捕集される。
【００１４】
前記粉塵がフィルタ３によって捕集された後の空気は、図中、矢印で示すように、前記フィルタ３によって濾過されて清浄空気となって、外側の通気空間６へ流れ、その後、該通気空間６から連結パイプ１０を経て吸引ホース２へ流れて、電気式掃除機本体１、またはセントラルバキュームシステム１ａへ吸引される。
【００１５】
すなわち、前記フィルタ装置Ａにおいて選択採用されたフィルタ３が、ＨＥＰＡフィルタである場合、０．３μｍ程度の超微紛子まで捕集されるので、電気式掃除機本体１、またはセントラルバキュームシステム１ａの内部に装着されたＨＥＰＡフィルタで捕集されるものは、ほとんど存在しないので、電気式掃除機本体１、またはセントラルバキュームシステム１ａの内部に装着されたＨＥＰＡフィルタ、および該ＨＥＰＡフィルタ等の集塵手段の収納部も汚れることがなく美麗に保たれる。
【００１６】
前記危険物を吸引した後のフィルタ装置Ａは、吸引ホース２からフィルタ３を含む全体を取外すと共に、吸引部７を吸引パイプ８から取外して、前記フィルタ装置Ａ全体をポリエチレン等より成る袋内に収納し、焼却、または廃棄処分することにより、前記危険物の処理が完了する。その後は、前記吸引ホース２の先端に、前記取外した吸引部７を取付けるか、再び新たなフィルタ装置Ａを取替えて取付けてもよい。なお、フィルタ装置Ａの吸引パイプ８に吸引部７が一体に連結固定されている場合は、該吸引部７を含めたフィルタ装置Ａ全体を焼却、または廃棄処分する。
【００１７】
図５は、フィルタ装置Ａにおいて、フィルタ３を取替えるタイプを示す縦断面図である。前記図３に示すフィルタ装置Ａは、前記ごみ吸引後は、該フィルタ装置Ａ全体を、電気式掃除機本体１、またはセントラルバキュームシステム１ａの吸引ホース２から取去って焼却、または廃棄処分するものである。これに対して、図５に示すものは、前記ごみを捕集した後の補助フィルタ３のみを替えるタイプのものがある。そして、前記フィルタ３を取替えるためのケース４の構成は、従来公知の構成のものを使用する。
【００１８】
すなわち、図５に示すように、フィルタ３を取替えるための構成は、特に限定する必要はないが、好ましくはケース４の一部を開口して、前記ごみを捕集した後のフィルタ３を取替えるようにすることが推奨される。図５においては、ケース４の上方部が軸支部１１を支点として、上方に開口され、前記フィルタ３を取外し、新しいフィルタ３の先端開口部を吸引パイプ８の基端部に装着固定して取替えるよう構成されている。
【００１９】
図６は、他の実施例によるフィルタ装置Ｂを、電気式掃除機に使用した状態を示す全体の斜視図、図７は、更に他の実施例によるフィルタ装置Ｂをセントラルバキュームシステムに使用した状態を示す全体の斜視図である。
【００２０】
すなわち、他の実施例によるフィルタ装置Ｂは、図６、図７に示すように、電気式掃除機本体１、またはセントラルバキュームシステム１ａの吸引ホース２の先端に装着されている吸引ノズル等の吸引部７より下流側の前記吸引ホース２の適位置に連結して形成されている。
【００２１】
前記図６、図７に示す他の実施例によるフィルタ装置Ｂは、その構成は前記図１、図２に示すものと同一であり、またその作用も、前記図１、図２に記載のものと同一であるので、説明を省略する。
【図面の簡単な説明】
【００２２】
【図１】本発明においてフィルタ装置を電気式掃除機に使用した状態を示す全体の斜視図である。
【図２】本発明においてフィルタ装置をセントラルバキュームシステムに使用した状態を示す全体の斜視図である。
【図３】本発明において全体を焼却処分するタイプのフィルタ装置の一部を切欠いて示す側面図である。
【図４】同中央縦断面図である。
【図５】本発明においてフィルタを取替えるタイプのフィルタ装置の一部を切欠いて示す側面図である。
【図６】本発明の他の実施例によるフィルタ装置を電気式掃除機に使用した状態を示す全体の斜視図である。
【図７】本発明の他の実施例によるフィルタ装置をセントラルバキュームシステムに使用した状態を示す全体の斜視図である。
【符号の説明】
【００２３】
Ａ・Ｂ  フィルタ装置
１  電気式掃除機本体
１ａ  セントラルバキュームシステム
２  吸引ホース
３  フィルタ
３ａ  封止面
４  ケース
５  濾過面
６  通気空間
７  吸引部
８  吸引パイプ
９  連結部
１０  連結パイプ
１１  軸支部
【図１】
2010094263.tif 000003
【図２】
2010094263.tif 000004
【図３】
2010094263.tif 000005
【図４】
2010094263.tif 000006
【図５】
2010094263.tif 000007
【図６】
2010094263.tif 000008
【図７】
2010094263.tif 000009